(57)【要約】【課題】有線及び無線のいずれであっても外部との通信に容易に対応でき、製造コストを低減できる電子機器の筐体構造を提供する。【解決手段】本発明に係る電子機器１の筐体構造は、底板１１及び底板１１の一部を除く周縁から立設された側壁１２，１３，１４を有するロアーケース１０と、ロアーケース１０にその上面を覆うように係合するアッパーケース２０と、ロアーケース１０の側壁１２，１３，１４のない空間１５に着脱可能に保持されるプレート３０とを備え、ロアーケース１０がプレート３０の両端部３１を保持する第１保持部１６及びプレート３０の下部３２を保持する第２保持部１７を有し、アッパーケース２０がプレート３０の上部３３を保持する第３保持部２３を有する。【選択図】図２
2015192131.tif 000002
【特許請求の範囲】
【請求項１】
電子機器の筐体構造であって、
底板、及び前記底板の一部を除く周縁から立設された側壁を有するロアーケースと、
前記ロアーケースにその上面を覆うように係合するアッパーケースと、
前記ロアーケースの前記側壁のない空間に着脱可能に保持されるプレートとを備え、
前記ロアーケースが前記プレートの両端部を保持する第１保持部及び前記プレートの下部を保持する第２保持部を有し、
前記アッパーケースが前記プレートの上部を保持する第３保持部を有する
ことを特徴とする筐体構造。
【請求項２】
前記プレートが、その上部及び下部の少なくとも一方に通気のための切欠き部を有する
ことを特徴とする請求項１に記載の筐体構造。
【請求項３】
前記ロアーケースが、前記プレートの下部を案内する凸部を有し、
前記プレートが、その下部に前記ロアーケースの前記凸部に嵌合する凹部を有し、
前記プレートが、上下逆に挿入されたとき、前記プレートの上部が前記ロアーケースの前記凸部に当接することにより逆組が防止される
ことを特徴とする請求項１又は２に記載の筐体構造。
【発明の詳細な説明】
【技術分野】
【０００１】
本発明は、電子機器の筐体構造に関する。
【背景技術】
【０００２】
電子機器の筐体構造としては、開口部を有するロアーケースに、ロアーケースの開口部を覆うようにアッパーケースを取り付ける筐体構造が知られている（例えば、特許文献１参照）。ここで、筐体の内部に設けられている電子機器は有線又は無線により外部との通信を行うこととなるが、筐体構造が有線及び無線の一方のみに対応する態様である場合、筐体の全体を各別に製造する必要が生じ、製造コストが高価になるという結果を招くこととなる。
【先行技術文献】
【特許文献】
【０００３】
【特許文献１】特開２０１２−２３０９９８号公報
【発明の概要】
【発明が解決しようとする課題】
【０００４】
本発明は、有線及び無線のいずれであっても外部との通信に容易に対応でき、製造コストを低減できる電子機器の筐体構造を提供する。
【課題を解決するための手段】
【０００５】
（１）本発明に係る態様は、電子機器の筐体構造であって、底板及び底板の一部を除く周縁から立設された側壁を有するロアーケースと、ロアーケースにその上面を覆うように係合するアッパーケースと、ロアーケースの側壁のない空間に着脱可能に保持されるプレートとを備え、ロアーケースがプレートの両端部を保持する第１保持部及びプレートの下部を保持する第２保持部を有し、アッパーケースがプレートの上部を保持する第３保持部を有する筐体構造を提供する。
（２）上記（１）に記載の筐体構造において、プレートは、その上部及び下部の少なくとも一方に通気のための切欠き部を有するようにしてもよい。
（３）上記（１）又は（２）に記載の筐体構造において、ロアーケースがプレートの下部を案内する凸部を有し、プレートがその下部にロアーケースの凸部に嵌合する凹部を有し、プレートは、上下逆に挿入されたとき、プレートの上部がロアーケースの凸部に当接することにより逆組が防止されるようにしてもよい。
【発明の効果】
【０００６】
本発明によれば、有線及び無線のいずれであっても外部との通信に容易に対応でき、製造コストを低減できる電子機器の筐体構造を提供することができる。
【図面の簡単な説明】
【０００７】
【図１】本発明の第１実施形態に係る有線仕様の電子機器（ゲートウェイ）を示す斜視図である。
【図２】図１の電子機器（ゲートウェイ）の筐体構造を示す分解斜視図である。
【図３】図１の電子機器（ゲートウェイ）をプレート側から示す側面図である。
【図４】図２の電子機器（ゲートウェイ）の筐体構造をプレート側から示す分解側面図である。
【図５】図３におけるＡ−Ａ線断面図である。
【図６】図３におけるＢ−Ｂ線断面図である。
【図７】プレートをロアーケースに上下逆に挿入したときの両者の関係を示す側面図である。
【図８】本発明の第２実施形態に係る無線仕様のプレートを示す斜視図であって、（ａ）はプレートのみの状態を、（ｂ）はアンテナを３本（直立２本、屈曲１本）取り付けた状態を、（ｃ）はアンテナを１本と孔埋め部材を２個取り付けた状態を示す。
【図９】図８のプレートにアンテナを３本（直立３本）取り付けた状態を示す側面図である。
【図１０】図９におけるＣ−Ｃ線断面図である。
【発明を実施するための形態】
【０００８】
本発明の実施形態に係る電子機器の筐体構造は、電子機器の一例であるゲートウェイ１の筐体１００の筐体構造である。電子機器はゲートウェイ１に限られるものではない。筐体構造は、ロアーケース１０とアッパーケース２０とで、ゲートウェイ１の一つの側面を構成するプレート３０を保持する構造である。以下、筐体の仕様の一例である有線仕様のゲートウェイ１の筐体１００の筐体構造を、添付図面を参照して詳細に説明する。
【０００９】
（第１実施形態）
図１において、ゲートウェイ１の形状は、薄型の略直方体形状である。ゲートウェイ１は、ロアーケース１０とアッパーケース２０とプレート３０とを備えている。以下、ゲートウェイ１を平置きにした状態で説明するが、図示しないスタンドを用いて縦置きで使用してもよい。
【００１０】
ゲートウェイ１の一つの広い側面の一方側には、ＬＡＮ端子口４０、ＷＡＮ端子口５０が配置されている。また、ＬＡＮ端子口４０、ＷＡＮ端子口５０が配置された側面の他方側からは、電源ケーブル６０が引き出されている。狭い側面の一つには、ロアーケース１０とアッパーケース２０とによって、プレート３０が保持されている。
【００１１】
アッパーケース２０の上面には、通気口２００が形成され、プレート３０が保持されている側面には、通気口３００が形成されている。また、アッパーケース２０には、ＬＡＮ端子口４０、ＷＡＮ端子口５０が配置されている側面側に孔２１が形成されている。ねじ７０を孔２１に通し、ねじ込むことにより、アッパーケース２０がロアーケース１０に固定される。ゲートウェイ１を縦置きにして使用する場合には、通気口３００が形成されている側面を上にして使用する。
【００１２】
以下に、ゲートウェイ１の筐体１００の筐体構造についてより詳しく述べる。図２、図３及び図４において、ゲートウェイ１の筐体構造は、底板１１及び底板１１の一部を除く周縁から立設された側壁１２，１３，１４を有するロアーケース１０と、ロアーケース１０の上面を覆うようにロアーケース１０に係合するアッパーケース２０と、ロアーケース１０の側壁１２，１３，１４のない空間１５に着脱可能に保持されるプレート３０とを備え、ロアーケース１０がプレート３０の両端部３１を保持する第１保持部１６及びプレート３０の下部３２を保持する第２保持部１７を有し、アッパーケース２０がプレート３０の上部３３を保持する第３保持部２３を有する。
【００１３】
以下に、ロアーケース１０について詳しく述べる。ロアーケース１０には、底板１１にリブ１１１，１１２、側壁１２にリブ１２３、側壁１４にリブ１４１が形成されている。回路基板等が、これらのリブに載せられて、ロアーケース１０に収められる。また、底板１１には、側壁１２の両端内側に、図１に示したねじ７０をねじ込むためのボス１１０が２か所に形成されている。ここで、図２では、ボス１１０の一つは側壁１２の内側にあり、図示されていない。
【００１４】
対向する側壁１２，１４は、ゲートウェイ１の広い側面の一部を形成し、側壁１３は、ゲートウェイ１の一つの狭い側面の一部を形成している。側壁１３に対向する側壁が形成されていない空間１５に、プレート３０が着脱可能に保持される。側壁１２には、ＬＡＮ端子口４０が配置される切欠き１２１とＷＡＮ端子口５０が配置される切欠き１２２が形成されている。図１に示したＬＡＮ端子口４０とＷＡＮ端子口５０とは、図示しない回路基板に載置され、回路基板をロアーケース１０に形成されたリブに載せることにより、切欠き１２１、切欠き１２２の位置にそれぞれ配置される。側壁１４の両端上部には、フック掛け部１９が形成されている。
【００１５】
以下に、アッパーケース２０について詳しく述べる。図２では、アッパーケース２０は、裏側が見やすいように、表裏を逆にして示している。図２及び図４において、アッパーケース２０の裏側には、ＬＡＮ端子口４０、ＷＡＮ端子口５０が配置されている側とは反対側の位置に２箇所フック部２２が形成されている。フック部２２は、アッパーケース２０の裏側から立設され、外周に向かって突出して形成されている。また、アッパーケース２０の空間１５に位置する縁に凸部２４が形成され、凸部２４の内側付近に凸部２４に対向して複数のリブ２５が形成されている。
【００１６】
以下に、プレート３０について詳しく述べる。プレート３０は、両端部３１と、下部３２と、上部３３とを有している。ここで、プレート３０が、その上部３３及び下部３２の少なくとも一方に通気のための切欠き部３４を有していてもよい。本実施形態では、プレート３０は、上部３３及び下部３２の両方に切欠き部３４を有している。図３及び図４に示すように、切欠き部３４によって、通気口３００が形成される。通気口３００が形成されることにより、例えば、側壁１３を下にしてゲートウェイ１が縦置きで使用される場合に、電子部品等によって熱せられた空気が、上方に位置する通気口３００から効率よく排出され、筐体内に熱がこもりにくい。
【００１７】
以下に、第１保持部１６について詳しく述べる。図２、図４及び図５において、第１保持部１６は、プレート３０の両端部３１に対応して空間１５の両側のロアーケース１０に形成されている。ロアーケース１０の一方の第１保持部１６は、底板１１の空間１５側の縁に形成された凸部１１４と側壁１２に形成されたリブ１２４とを有する。他方の第１保持部１６は、凸部１１４と側壁１４に形成されたリブ１４２とを有する。プレート３０の両端部３１の一方は、凸部１１４とリブ１２４とに挟まれて保持され、他方は凸部１１４とリブ１４２とに挟まれて保持される。
【００１８】
以下に、第２保持部１７について詳しく述べる。図２、図４及び図５において、第２保持部１７は、凸部１１４とリブ１１２とを有している。プレート３０の下部３２は、凸部１１４とリブ１１２とに挟まれて保持される。
【００１９】
以下に、第３保持部２３について詳しく述べる。図２、図４及び図６において、第３保持部２３は、空間１５に位置するアッパーケース２０の縁に形成された凸部２４と凸部２４に対向して縁内側付近に形成された複数のリブ２５とを有している。プレート３０の上部３３は、凸部２４とリブ２５とに挟まれて保持される。リブ２５には傾斜部２５０が形成されている。
【００２０】
ロアーケース１０、アッパーケース２０及びプレート３０の材質、形成方法は特に限定されないが、例えば、樹脂成型によって形成することができる。
【００２１】
以下に、ロアーケース１０、アッパーケース２０及びプレート３０の組み立て方法について詳しく述べる。先ず、プレート３０をロアーケース１０に組み込む。図２〜図５において、ロアーケース１０が、プレート３０の下部３２を案内する凸部１８を有し、プレート３０が、その下部３２にロアーケース１０の凸部１８に嵌合する凹部３５を有している。従って、プレート３０がロアーケース１０に対し正位置に挿入されたときは、ロアーケース１０の凸部１８がプレート３０の凹部３５に嵌合する。これに対し、図７に示すように、プレート３０がロアーケース１０に対し上下逆位置に挿入されたときは、ロアーケース１０の凸部１８がプレート３０の上部３３に当接することとなり、逆組が防止される。
【００２２】
次に、ロアーケース１０とアッパーケース２０との係合、固定方法を述べる。図２において、アッパーケース２０のフック部２２をロアーケース１０のフック掛け部１９に掛ける。その後、フック掛け部１９を回動中心としてアッパーケース２０を回動させて、孔２１をボス１１０に合わせる。このとき、プレート３０の上部３３が、第３保持部２３に保持される。ここで、プレート３０の上部３３は、リブ２５の傾斜部２５０に案内されるので、アッパーケース２０を回動させるときに第３保持部２３のプレート３０の上部３３に対する位置が多少ずれても、プレート３０の上部３３が凸部２４とリブ２５との間に案内され、プレート３０の上部３３が、第３保持部２３に確実に保持される。したがって、プレート３０の着脱が容易になる。次に、ねじ７０を孔２１に挿入し、ボス１１０にねじ込んで、アッパーケース２０をロアーケース１０に固定する。
【００２３】
（第２実施形態）
以下に、無線仕様のゲートウェイ１の筐体構造を、添付図面を参照して詳細に説明する。無線仕様のゲートウェイ１の筐体構造は、有線仕様のゲートウェイ１の筐体１００の筐体構造において、プレート３０をプレート３０Ａに交換するだけである。以下、プレート３０Ａを中心に説明する。なお、プレート３０と同じ構成要素には同じ符号を付して示している。
【００２４】
図８、図９及び図１０において、プレート３０Ａは、無線用のアンテナ８０を挿入する挿入孔３６と、挿入孔３６からロアーケース１０の内側方向に延在してアンテナを保持する筒部３７と、筒部３７の内部の奥側にあって、アンテナ８０が所定位置以上挿入されることを阻止する段部３７０と、筒部３７の内部の手前側にあって、アンテナ８０の回動を規制する規制部３７１とを有している。
【００２５】
図８（ａ）において、挿入孔３６は、プレート３０Ａの長手方向の中心と中心から略同じ間隔をあけて両端に３か所形成されている。図８（ｂ）は、３本のアンテナ８０を挿入孔３６に挿入した図である。アンテナ８０の形状は、略棒状である。図の端のアンテナ８０に示すように、アンテナ８０は、図１に示したゲートウェイ１の設置状況に応じて折り曲げることができる。図８（ｃ）は、１本のアンテナ８０を一端の挿入孔３６に挿入した図である。アンテナ８０が挿入されていない挿入孔３６は、孔埋め部材３６０を嵌めて塞ぐことができる。
【００２６】
以下に、アンテナ８０が挿入孔３６に挿入された部分について詳しく述べる。図１０にアンテナ８０の挿入方向Ｉを示した。図９及び図１０において、挿入孔３６へ挿入されるアンテナ８０の挿入部８１には、スリット８１０が形成されており、先端には、外側に向かって突起８２が形成されている。アンテナ８０の挿入部８１を挿入孔３６に挿入し、筒部３７を通すと、アンテナ８０の挿入部８１が内側に変形しながら挿入され、突起８２が筒部３７を抜けると挿入部８１が外側に向かって開き、挿入方向Ｉとは逆方向に抜けにくくなる。
【００２７】
アンテナ８０の挿入部８１の手前側には、突起８１１が形成されている。段部３７０は、挿入孔３６の内側周方向にわたって形成されている。突起８１１は、突起８２が筒部３７を抜けて挿入部８１が外側に向かって開く位置まで挿入されると、段部３７０に当たり、挿入が阻止される。
【００２８】
突起８２によってアンテナ８０が挿入方向Ｉとは逆方向に抜けにくくなるとともに、突起８１１が段部３７０に当たり、挿入が阻止されるので、アンテナ８０が、プレート３０Ａにがたつくことなく取り付けられる。アンテナ８０がプレート３０Ａに挿入によって取り付けられるので、取り付けのための他の部材を使用する必要がなく、アンテナ８０の取り付け時の美観が向上する。
【００２９】
また、段部３７０には、挿入方向Ｉとは逆方向に向けて突起した規制部３７１が形成されている。規制部３７１は、段部３７０の周方向の４分の１ほど設けられている。アンテナ８０が回動すると、突起８１１が規制部３７１に当たり回動が規制される。アンテナ８０の回動が規制されることにより、折り曲げられたアンテナ８０の方向が大きくずれるのを防ぐことができる。
【００３０】
実施形態によれば、有線仕様及び外部にアンテナ８０を有する無線仕様に容易に対応でき、製造コストが低減できるゲートウェイ１の筐体構造を提供できる。
【００３１】
以上述べた実施形態において、ゲートウェイ１の形状は、薄型の略直方体形状に限らず、他の形状であってもよい。例えば、直方体形状であればよい。
【００３２】
また、対応する仕様は、有線、無線仕様に限らず、他の仕様であってもよい。例えば、交換可能なプレートが縦置き用の土台を備えたプレートと備えていないプレートであってもよい。
【００３３】
実施形態でのべた筐体構造は、ゲートウェイ１に限定されるものではなく、電子機器であればよい。例えば、警報装置、通信機、検出器等に適用できる。
【符号の説明】
【００３４】
１  ゲートウェイ（電子機器）
１０  ロアーケース
１１  底板
１２，１３，１４  側壁
１５  空間
１６  第１保持部
１７  第２保持部
１９  フック掛け部
２０  アッパーケース
２１  孔
２２  フック部
２３  第３保持部
２４  凸部
２５  リブ
３０  プレート
３０Ａ  プレート
３１  両端部
３２  下部
３３  上部
３４  切欠き部
３６  挿入孔
３７  筒部
４０  ＬＡＮ端子口
５０  ＷＡＮ端子口
６０  電源ケーブル
７０  ねじ
８０  アンテナ
８１  挿入部
８２  突起
１００  筐体
１１０  ボス
１１１，１１２  リブ
１１４  凸部
１２１  切欠き
１２２  切欠き
１２３  リブ
１２４  リブ
１４１  リブ
１４２  リブ
２００  通気口
２５０  傾斜部
３００  通気口
３６０  孔埋め部材
３７０  段部
３７１  規制部
８１０  スリット
８１１  突起
Ｉ  挿入方向
【図１】
2015192131.tif 000003
【図２】
2015192131.tif 000004
【図３】
2015192131.tif 000005
【図４】
2015192131.tif 000006
【図５】
2015192131.tif 000007
【図６】
2015192131.tif 000008
【図７】
2015192131.tif 000009
【図８】
2015192131.tif 000010
【図９】
2015192131.tif 000011
【図１０】
2015192131.tif 000012